(57)【要約】【課題】  天窓付きの建物において、建物内の通風を十分に行うことが可能な通風用天窓を備えた住宅を提供する。【解決手段】  天窓３が上下方向に移動自在に設けられ、天窓３が開いたときは天窓３の周囲に開口部が形成されて、その開口部を介して建物１内の換気を行う通風用天窓を備えた住宅であって、通風機能を有する雨戸（又はシャッター）４，５を設ける。【選択図】        図１
2005146838.tif 000002
【特許請求の範囲】
【請求項１】
天窓が上下方向に移動自在に設けられ、前記天窓が開いたときは該天窓の周囲に開口部
が形成されて、前記開口部を介して建物内の換気を行う通風用天窓を備えた建物であって
、
部屋の窓には、通風機能を有する雨戸又はシャッターのうち少なくとも一つが設けられ
たことを特徴とする建物。
【請求項２】
天窓が上下方向に移動自在に設けられ、前記天窓が開いたときは該天窓の周囲に開口部
が形成されて、前記開口部を介して建物内の換気を行う通風用天窓を備えた建物であって
、
部屋の窓は、開いたときでも人の侵入が不可能な小型窓であることを特徴とする建物。
【請求項３】
天窓が上下方向に移動自在に設けられ、前記天窓が開いたときは該天窓の周囲に開口部
が形成されて、前記開口部を介して建物内の換気を行う通風用天窓を備えた建物であって
、
南面以外に外壁を有する部屋の該外壁の窓は、開いたときでも人の侵入が不可能な小型
窓であることを特徴とする建物。
【請求項４】
天窓が上下方向に移動自在に設けられ、前記天窓が開いたときは該天窓の周囲に開口部
が形成されて、前記開口部を介して建物内の換気を行う通風用天窓を備えた建物であって
、
南面のみに外壁を有する部屋の該外壁の窓には、通風機能を有する雨戸又はシャッター
のうち少なくとも一つが設けられたことを特徴とする建物。
【請求項５】
天窓が上下方向に移動自在に設けられ、前記天窓が開いたときは該天窓の周囲に開口部
が形成されて、前記開口部を介して建物内の換気を行う通風用天窓を備えた建物であって
、
南面および南面以外に外壁を有する部屋の、該南面の外壁の窓の外には遮熱用庇または
スクリーンが設けられ、南面以外の外壁の窓は、開いたときでも人の侵入が不可能な小型
窓であることを特徴とする建物。
【請求項６】
前記天窓または該天窓の真下に、上向きの気流を生じさせるファンが設置されているこ
とを特徴とする請求項１〜５のいずれか一項に記載の建物。
【請求項７】
前記天窓は、階段ホールの上方に設置されていることを特徴とする請求項１〜５のいず
れか一項に記載の建物。
【請求項８】
各部屋と階段ホールの間の間仕切壁にはランマ開口が設けられていることを特徴とする
請求項７に記載の建物。
【請求項９】
前記天窓は、建物の屋根面より高い位置に設けられていることを特徴とする請求項１〜
５のいずれか一項に記載の建物。
【請求項１０】
屋根が平屋根であることを特徴とする請求項９に記載の建物。
【発明の詳細な説明】
【技術分野】
【０００１】
本発明は、上下方向に開閉する通風用天窓を備えた建物に関するものである。
【背景技術】
【０００２】
建物内の通風や建物内への採光のために屋根開口部に天窓を設置することが知られてい
る。このような天窓としては、従来より、天窓本体がその一側を中心にして回動する片開
きタイプの天窓や、窓中央の水平軸を中心にして天窓本体が回動する中軸回動タイプの天
窓が主に用いられている。また、天窓本体を上下方向に移動させて、屋根開口部を開閉さ
せる上下移動タイプの天窓も提案されている（特許文献１参照）。
【特許文献１】特開２０００−２４０２２９号公報（第２−３頁、図１）
【発明の開示】
【発明が解決しようとする課題】
【０００３】
ところで、上記天窓を開いたときに必ず建物内の通風が十分となるわけではなく、通風
効率が非常に悪い場合がある。
【０００４】
例えば、片開きタイプの天窓や中軸回転タイプの天窓では、天窓を開けていると、風向
きによっては風が天窓を通して建物内に吹き込み、この吹き込んだ風と、建物内で熱によ
って生じた上昇気流とがぶつかり合って、通風性能が著しく低下することがある。この場
合、通風機能を持った雨戸やシャッターが設けられていても、密集地においては、雨戸や
シャッターから建物内に流入した外気は建物の壁や窓面に当たって風速が落ちるため、通
風性能改善の効果は小さい。
【０００５】
上下移動タイプの天窓の場合も、単に上下移動タイプの天窓を設置しただけでは建物内
に空気の流れが生じにくく、建物内の通風は十分ではない。
【０００６】
本発明の課題は、天窓付きの建物において、建物内の通風を十分に行うことが可能な通
風用天窓を備えた建物を提供することにある。
【課題を解決するための手段】
【０００７】
上記課題を解決するために、請求項１に記載の発明は、天窓が上下方向に移動自在に設
けられ、前記天窓が開いたときは該天窓の周囲に開口部が形成されて、前記開口部を介し
て建物内の換気を行う通風用天窓を備えた建物であって、部屋の窓には、通風機能を有す
る雨戸又はシャッターのうち少なくとも一つが設けられたことを特徴としている。
【０００８】
上記構成によれば、天窓が開いたとき天窓の周囲に開口部が形成されるため、風が一側
の開口部から流入したとき、その風は他側の開口部から容易に外部に流出することができ
、風は天窓の下側を単に通過するだけとなる。その結果、風向きがどの方向であっても、
風が建物内に吹き込むことはない。しかも、部屋の窓には、通風機能を有する雨戸又はシ
ャッターのうち少なくとも一つが設けられているため、建物内には、室内空気を天窓を介
して屋外へ送り出す空気の流れが生じ、その結果、風向きや住宅の密集状態に関係なく、
建物内の換気と排熱を継続的に行うことができる。
【０００９】
請求項２に記載の発明は、天窓が上下方向に移動自在に設けられ、前記天窓が開いたと
きは該天窓の周囲に開口部が形成されて、前記開口部を介して建物内の換気を行う通風用
天窓を備えた建物であって、部屋の窓は、開いたときでも人の侵入が不可能な小型窓であ
ることを特徴としている。
【００１０】
上記構成によれば、請求項１の場合と同様、風向きがどの方向であっても風が建物内に
吹き込むことはなく、その上、小型窓が設けられているので、この小型窓を開けると、建
物内には、室内空気を天窓を介して屋外へ送り出す空気の流れが生じ、建物内の換気と排
熱を継続的に行うことができる。また、小型窓は開いたときでも人の侵入が不可能で、防
犯に対する安全性が高くなっている。
【００１１】
請求項３に記載の発明は、天窓が上下方向に移動自在に設けられ、前記天窓が開いたと
きは該天窓の周囲に開口部が形成されて、前記開口部を介して建物内の換気を行う通風用
天窓を備えた建物であって、南面以外に外壁を有する部屋の該外壁の窓は、開いたときで
も人の侵入が不可能な小型窓であることを特徴としている。
【００１２】
上記構成の場合も、請求項２と同様な作用効果が期待できる。
【００１３】
請求項４に記載の発明は、天窓が上下方向に移動自在に設けられ、前記天窓が開いたと
きは該天窓の周囲に開口部が形成されて、前記開口部を介して建物内の換気を行う通風用
天窓を備えた建物であって、南面のみに外壁を有する部屋の該外壁の窓には、通風機能を
有する雨戸又はシャッターのうち少なくとも一つが設けられたことを特徴としている。
【００１４】
上記構成によれば、請求項１と同様な作用効果が期待できる。
【００１５】
請求項５に記載の発明は、天窓が上下方向に移動自在に設けられ、前記天窓が開いたと
きは該天窓の周囲に開口部が形成されて、前記開口部を介して建物内の換気を行う通風用
天窓を備えた建物であって、南面および南面以外に外壁を有する部屋の、該南面の外壁の
窓の外には遮熱用庇またはスクリーンが設けられ、南面以外の外壁の窓は、開いたときで
も人の侵入が不可能な小型窓であることを特徴としている。
【００１６】
上記構成によれば、請求項１の場合と同様、風向きがどの方向であっても風が建物内に
吹き込むことはなく、また小型窓を開いたときは、請求項２や請求項３と同様、建物内に
は、室内空気を天窓を介して屋外へ送り出す空気の流れが生じ、建物内の換気と排熱を継
続的に行うことができる。しかも、上記構成によれば、南面および南面以外に外壁を有す
る部屋の、該南面の外壁の窓の外には遮熱用庇またはスクリーンが設けられているので、
日射による建物内部の温度上昇を抑えることができる。また、小型窓は開いたときでも人
の侵入が不可能で、防犯に対する安全性が高くなっている。
【００１７】
請求項６に記載の発明は、請求項１〜５のいずれか一項において、前記天窓または該天
窓の真下に、上向きの気流を生じさせるファンが設置されていることを特徴としている。
【００１８】
上記構成によれば、建物内の空気がファンによって強制的に排気され、建物の通風性能
が格段に向上する。
【００１９】
請求項７に記載の発明は、請求項１〜５のいずれか一項において、前記天窓は、階段ホ
ールの上方に設置されていることを特徴としている。
【００２０】
階段ホールには例えば１階から２階に吹き抜ける空間があり、この階段ホールの上方に
天窓を設置すれば、１階部分の空気と２階部分の空気を階段ホールに集めて天窓から外部
に容易に排出できるため、建物内の通風を効率よく行うことが可能となる。
【００２１】
請求項８に記載の発明は、請求項７において、各部屋と階段ホールの間の間仕切壁には
ランマ開口が設けられていることを特徴としている。
【００２２】
上記構成によれば、各部屋の室内空気はランマ開口を介して階段ホールへと流れること
になる。ランマ開口は間仕切壁の上部に設けられ、プライバシーが気なる個室向けである
。
【００２３】
請求項９に記載の発明は、請求項１〜５のいずれか一項において、前記天窓は、建物の
屋根面より高い位置に設けられていることを特徴としている。
【００２４】
上記構成によれば、天窓が建物の屋根面より高い位置に設けられているので、防水のた
めの水切りを容易に設置することができ、また屋根面での気流剥離等も発生しない。
【００２５】
請求項１０に記載の発明は、請求項９において、屋根が平屋根であることを特徴として
いる。
【００２６】
平屋根の場合は、天窓周囲の気流の乱れが比較的少なく、屋根面での気流剥離等の発生
を抑える上で効果的である。
【発明の効果】
【００２７】
本発明によれば、上下方向に開閉する天窓と、通風機能を有する雨戸やシャッター又は
小型窓とを組み合わせることにより、風向きや建物の密集度に関わりなく、建物の通風を
効率よく行うことができる。特に、春から秋にかけて建物内の換気および排熱を行う際に
は、その効果は大である。
【発明を実施するための最良の形態】
【００２８】
以下、本発明の実施例を図面に従って説明する。
【実施例１】
【００２９】
図１は本発明に係る通風用天窓を備えた建物の断面図である。図に示すように、建物１
は平屋根（陸屋根）２を有し、この平屋根２には天窓３が設置されている。なお、平屋根
２の代わりに緩傾斜の屋根を設け、この緩傾斜の屋根に天窓３を設置することもできる。
【００３０】
天窓３は平屋根２の屋根面２Ａよりも高い位置に配置されている。すなわち、本実施例
では、天窓３を閉めたときに、天窓３と屋根面２Ａとの距離Ｌが５ｃｍ以上となるように
設定されている。距離Ｌが５ｃｍ未満では、防水のための水切りの設置が難しく、また屋
根面２Ａで気流剥離等の問題が発生し、建物１内の室内空気を天窓３から屋外に排気する
上で好ましくない。
【００３１】
建物１には、１階部分に雨戸４が設けられ、２階部分にも同様に雨戸５が設けられてい
る。これら雨戸４，５は、図２に示すように、斜めの羽板６が複数枚設けられたガラリ雨
戸で、通風機能を備えている。雨戸４，５の上部には上部ローラ７が、下部には下部ロー
ラ８がそれぞれ設けられている。
【００３２】
建物１には、雨戸の代わりに、通風機能を備えたシャッターを設けてもよい。また、雨
戸とシャッターの双方を組み合わせて、例えば、１階部分をシャッターに２階部分を雨戸
にしてもよいし、逆に１階部分を雨戸に２階部分をシャッターにしてもよい。さらには一
部だけをシャッターに他を雨戸にしてもよい。
【００３３】
天窓３は、図３に示すように、平屋根２の屋根開口部２Ｂに取り付けられた横断面矩形
状の支持枠９の上方に設置されている。支持枠９の周囲には縦断面略Ｌ字状の補強部材１
０が設けられ、支持枠９は補強部材１０で補強されている。また、補強部材１０の上端は
支持枠９の上端よりも低くなっており、支持枠９と補強部材１０の上部には段部１１が形
成されている。
【００３４】
支持枠９の上方に設置された天窓３は、横断面矩形状の外側枠１２を有し、この外側枠
１２の内側上部に天窓本体１３が取り付けられている。また、天窓３はクロスアーム機構
１４を介して支持枠９の上部に連結されている。
【００３５】
クロスアーム機構１４は、Ｘ字状に配置された２本のアーム１５，１６を有している。
アーム１５の上端部は天窓３の外側枠１２内面に回動自在に取り付けられ、下端部は支持
枠９内面の溝１７に沿って水平方向にスライドできるようになっている。アーム１６の下
端部は支持枠９内面に回動自在に取り付けられ、上端部は天窓３の外側枠１２内面の溝１
８に沿って水平方向にスライドできるようになっている。
【００３６】
クロスアーム機構１４はモータ（図示省略）によって駆動され、このクロスアーム機構
１４の駆動により天窓３は上下方向に移動する。そして、天窓３が上方向に移動すると、
天窓３の周囲に開口部が形成され、天窓３は開けられた状態となる。逆に天窓３が下方向
に移動すると、外側枠１２の下端部が、支持枠９と補強部材１０の上部の段部１１に嵌合
し、天窓３は閉じられた状態となる。
【００３７】
図４は一戸建て住宅の内部構造を示したものであり、（ａ）は１階の平面図で、（ｂ）
は２階の平面図である。ここでは、雨戸４，５は、同図（ａ）および（ｂ）に示すように
、南側の窓にそれぞれ設置されている。また天窓３は、同図（ｂ）に示すように、階段ホ
ール２０の上方に設置されている。
【００３８】
また、図１に示すように、天窓３の真下には上向きの気流を生じさせるファン２１が設
置されている。ファン２１は天窓３自体に設置してもよい。
【００３９】
次に、上記構成の通風用天窓を備えた建物において、通風や排熱がどのようにして行わ
れるかの作用について説明する。
【００４０】
建物１内では、外部からの熱（太陽の熱）や内部で生じた熱（調理用コンロや電気機器
等の熱）によって上昇気流が発生する。そして、天窓３を開けると、天窓本体１３と外側
枠９の上端部との間を風が通り抜け、この通り抜ける風によって前記上昇気流が吸い寄せ
られ、建物１内の空気が天窓３を介して屋外へ排出される。建物１内の空気が屋外へ排出
されると、建物１内の圧力が下がるので、通風機能の有する雨戸４，５を介して外気が建
物１内に流入する。
【００４１】
このようにして天窓３を開けているときは、建物１内の空気が常に天窓３を介して排出
されるため、風向きや住宅の密集状態に関係なく、建物１内の換気と排熱を継続的に行う
ことができる。天窓３を開ける場合、天窓３を屋根面２Ａよりも上方へ１０ｃｍ以上移動
させる（つまり、図１において距離Ｌを１０ｃｍ以上にする）のが望ましい。１０ｃｍ未
満では、天窓３と外側枠９の上端部との間を風がスムーズに通り抜けることができず、建
物１内の空気がうまく排出されないからである。
【００４２】
また、天窓３を開けたときの、天窓３と外側枠９の上端部との間の開口部の開口面積は
、例えば、延べ床面積５０〜１５０ｍ2の一戸建て住宅の場合は５００ｃｍ2以上あること
が望ましい。５００ｃｍ2未満の場合には、建物１内の排熱ができるほど通風量は多くな
らない。ただし、天窓が複数設けられている場合は、各天窓における開口面積の合計値が
５００ｃｍ2以上あればよい。
【００４３】
通風機能を有する雨戸やシャッターとしては、固定式あるいは可動式のガラリ、あるい
は窄孔したものを用いることができる。ただし、各部屋あたりの有効開口面積は０.１ｍ2
以上にする必要がある。０.１ｍ2未満では通風量が減ってしまい、好ましくない。
【００４４】
次に、本発明を実際に一戸建て住宅に適用して実験を行った。本発明による建物での結
果を実験例１〜２とし、従来技術による建物での結果を比較例１〜３として説明する。
【００４５】
（実験例１）
建物の１階南側の窓に有効開口面積０.２ｍ2のガラリ雨戸を、２階南側の窓に有効開口
面積０.２ｍ2のガラリ雨戸をそれぞれ設置し、さらに２階ホール天井部に、有効開口面積
１ｍ2、開口高２５ｃｍの天窓３を設置した。そして、１・２階の各窓を開放するととも
に天窓３を開け、さらに玄関ドアを除く各部屋の扉を開放した状態で、室温を測定した。
【００４６】
測定結果は、外気温３３℃であるのに対し、１階リビングダイニング（図４（ａ）参照
）の室温が３０℃、２階洋室１（図４（ｂ）参照）の室温が３１℃であった。
【００４７】
（実験例２）
実験例１の建物において、天窓３の直下で床面より２.３ｍの位置に、上向きの気流を
発生させるシーリングファンを設置した。そして、１・２階の各窓を開放するとともに天
窓３を開け、さらに玄関ドアを除く各部屋の扉を開放した状態で、室温を測定した。
【００４８】
測定結果は、外気温３３℃に対し、１階リビングダイニングの室温が２９℃、２階洋室
１の室温が３０℃となった。
【００４９】
（比較例１）
建物の１階南側の窓に有効開口面積０.２ｍ2のガラリ雨戸を、２階南側の窓に有効開口
面積０.２ｍ2のガラリ雨戸をそれぞれ設置したが、２階ホール天井部に天窓は設けなかっ
た。そして、１・２階の各窓を開放するとともに、玄関ドアを除く各部屋の扉を開放した
状態で、室温を測定した。
【００５０】
測定結果は、外気温３３℃であるのに対し、１階リビングダイニングの室温が３０℃で
あったが、２階洋室１の室温は３６℃と非常に暑くなった。
【００５１】
（比較例２）
建物の２階ホール天井部に、有効開口面積１ｍ2、開口高２５ｃｍの天窓３を設置した
が、１・２階の各窓にガラリ雨戸は設置しなかった。そして、天窓３を開け、玄関ドアを
除く各部屋の扉を開放するとともに各部屋の窓を閉めた状態で、室温を測定した。
【００５２】
測定結果は、外気温３３℃に対し、１階リビングダイニングの室温が３２℃であり、特
に２階洋室１の室温は３７℃と非常に暑くなった。
【００５３】
（比較例３）
建物の１階南側の窓に有効開口面積０.２ｍ2のガラリ雨戸を、２階南側の窓に有効開口
面積０.２ｍ2のガラリ雨戸をそれぞれ設置し、さらに２階ホール天井部に片開きタイプの
天窓を設置した。
【００５４】
ここで、片開きタイプの天窓は、図５に示すように、北側が支持軸３１によって回動自
在に支持された天窓本体３２を備え、モータ（図示省略）によって天窓本体３２は駆動さ
れ、図の矢印Ａのように回動して南側が開閉されるようになっている。本比較例では、こ
の片開きタイプの天窓の有効開口面積を１ｍ2、開き幅を１５ｃｍとした。そして、この
天窓を開けて、玄関ドアを除く各部屋の扉を開放した状態で、室温を測定した。
【００５５】
測定結果は、外気温３３℃であるのに対し、１階リビングダイニングの室温が３０℃で
あったが、２階洋室１の室温は３６℃と非常に暑くなった。
【００５６】
以上、実験例１〜２と比較例１〜３の結果から、本実施例のように、上下方向に移動し
て開閉する天窓と、通風機能を有する雨戸（又はシャッター）とを組み合わせることによ
り、建物内の換気と排熱を効果的に行うことができることが明らかになった。
【実施例２】
【００５７】
次に、実施例２について説明する。図６は実施例２による通風用天窓を備えた建物の概
念図である。この建物４０の居室のうち、南側の１階部分にある居室４１には、その南面
に大型窓（引き違い窓等）４２が、東西面には小型窓（オーニング開閉式の地窓やハイサ
イド窓等）４３がそれぞれ設けられている。小型窓４３は、開いたときでも人の侵入が不
可能な大きさ設定されている。また、階段ホール４４の南面には大型窓（引き違い窓等）
４５が設けられている。図６では、小型窓４３は西側のものだけが示され、東側の小型窓
は省略されている。
【００５８】
建物４０の南面外壁には、大型窓４２，４５の上方に、遮熱用の庇４６，４７がそれぞ
れ設けられている。庇４６，４７の出寸法は、各大型窓４２，４５の高さ×０.２５〜０.
３５に設定されている。
【００５９】
なお、庇４６，４７の代わりに、大型窓４２，４５を外側から覆う遮熱用のスクリーン
を設けてもよい。庇にするかスクリーンにするかは建物４０の方位による。すなわち、建
物４０の方位が南北方向から東または西へ３０度以上ずれていればスクリーンが、３０度
未満のずれであれば庇がそれぞれ設けられる。東または西へ３０度以上ずれると、特に真
夏には熱輻射によって建物４０内の温度が上昇しやすくなり、庇では建物４０内の温度上
昇を抑えきれないため、庇に代わって又は庇に加えてスクリーンを設けるのがよい。
【００６０】
２階部分には個室４８が設けられ、この個室４８と階段ホール４４との間の間仕切壁４
９上部には、ランマドア５０が開閉自在に設けられている。また、個室４８には、開いた
ときでも人の侵入が不可能な大きさの小型窓（オーニング開閉式の地窓やハイサイド窓等
）５１が設けられている。
【００６１】
建物４０の平屋根５２には、階段ホール４４の上方部分に上下に移動可能な天窓５３が
設けられている。なお、図６において、５４は浴室、５５は床下暖房装置、５６は給湯装
置である。
【００６２】
このように構成された建物４０において、外部からの熱や内部で生じた熱によって建物
４０の内部には上昇気流が発生しており、このとき、天窓５３を開け、さらに小型窓４３
を開けると、外気が小型窓４３から居室４１内に流入するため、居室４１内の空気は階段
ホール４４を通って天窓５３から建物４０の外へ効率よく排出され、これによって、居室
４１内の通風を十分に行うことができる。
【００６３】
このとき、ランマドア５０および小型窓５１を開けると、小型窓５１から個室４８内へ
外気が流入するため、個室４８内の空気も階段ホール４４を通って天窓５３から建物４０
の外へ効率よく排出され、個室４８内の通風も十分に行うことができる。
【００６４】
本実施例では、大型窓４２，４５や小型窓４３，５１などを含む窓全体の開口率（建物
全体の窓面積合計／延べ床面積）は３０％以下に設定されている。また、各部屋における
南面側の窓に対する東西面側の窓の面積比率は３分の１以下に抑えられている。これによ
り、建物全体と部屋別の窓面積を適正に抑え、特に夏場の西日を遮断し、夏冬ともに快適
で冷暖房の省エネが可能な建物を実現している。
【００６５】
本実施例によれば、東西面の窓面積を抑えて熱侵入を防ぎながら、最小限の排熱入口と
して、防犯にも有効な小型窓４３，５１を設置することで、昼夜を問わず排熱が可能とな
る。
【００６６】
また、天窓５３は、同じ大きさの開口幅でも、従来の片開き開閉式の天窓に比べて開口
面積を大きくとれ、かつ平屋根５２と組み合わせることで、屋根上の風がどの風向からで
も常に負圧が働き、建物４０内の排熱効果を安定して維持できる。その結果、効率的な排
熱が可能となる。
【００６７】
さらに、小型窓４３，５１と天窓５３とを組み合わせて、さらに大型窓４２，４５に庇
４６，４７（又はスクリーン）を設けることにより、建物４０内の通風が十分となり、さ
らには真夏においては室温を２〜４℃下げることができ、快適で且つ省エネ可能な建物を
実現することができる。
【００６８】
なお、大型窓４２，４５に通風機能を有する雨戸又はシャッターのうち少なくとも一つ
を設けておけば、外気は小型窓４３，５１に加えて雨戸やシャッターからも建物４０内に
流入するので、建物４０内の通風をより一層十分に行うことができる。
【００６９】
次に、本実施例における建物の具体例を図７を用いて説明する。なお、図７においては
、主に壁に設けられた窓の位置が示されている。
【００７０】
図７は本実施例での建物を示し、（ａ）は１階部分の平面図、（ｂ）は２階部分の平面
図である。１階部分には、中央の玄関ホール６１を挟んで東側にリビングダイニング６２
が、西側に和室６３がそれぞれ設けられ、また玄関ホール６１の奥側（北側）には階段６
４が設けられている。そして、リビングダイニング６２および和室６３の各南面には大型
の引き違い窓６５，６６がそれぞれ取り付けられ、各引き違い窓６５，６６にはルーバー
庇（又はスクリーン）６７，６８が固定されている。また、リビングダイニング６２の東
面および和室６３の西面には地窓（又はハイサイド窓）６９，７０がそれぞれ取り付けら
れている。
【００７１】
２階部分には３つの居室７１，７２，７３が設けられ、さらに居室７２の裏側(北側)に
は、階段６４の階段ホール７４が設けられている。そして、居室７１，７２，７３の各南
面には大型の引き違い窓７５，７６，７７がそれぞれ取り付けられ、このうち引き違い窓
７６には通風機能を有する通風シャッタ７８が設けられている（通風シャッタ７８の代わ
りに、通風機能を有する雨戸を設けてもよい）。居室７１，７２，７３の奥側にはランマ
ドア７９，８０，８１がそれぞれ取り付けられている。また、居室７３の東面および居室
７１の西面には地窓８２，８３がそれぞれ取り付けられている。さらに、階段ホール７４
の上方には天窓８４が設けられている。
【００７２】
上記構成の建物において、天窓８４を開けておけば、１階部分では、東面の地窓６９を
開けることにより、外気が地窓６９からリビングダイニング６２内に流入し、また西面の
地窓７０を開けることにより、外気が地窓７０から和室６３内に流入する。リビングダイ
ニング６２に流入した外気は矢印Ａのように玄関ホール６１の方へ流れ、また和室６３に
流入した外気は矢印Ｂのように玄関ホール６１の方へ流れ、ここで両者は合流して階段６
４へと流れる。
【００７３】
２階部分では、東面の地窓８２およびランマドア８１を開けることにより、外気が地窓
８２から居室７３内に流入し、西面の地窓８３およびランマドア７９を開けることにより
、外気が地窓８３から居室７１内に流入する。また、引き違い窓７６、通風シャッタ７８
およびランマドア８０を開けることにより、外気が通風シャッタ７８および引き違い窓７
６から居室７２内に流入する。
【００７４】
部屋７１に流入した外気は矢印Ｃのようにランマドア７９を通って階段ホール７４へ、
部屋７２に流入した外気は矢印Ｄのようにランマドア８０を通って階段ホール７４へ、部
屋７３に流入した外気は矢印Ｅのようにランマドア８１を通って階段ホール７４へそれぞ
れ流れ、ここで階段６４を上昇してきた１階部分からの空気と合流し、天窓８４を介して
建物の外へ排出される。これにより、リビングダイニング６２、和室６３および各居室７
１，７２，７３の通風を十分に行うことができる。
【図面の簡単な説明】
【００７５】
【図１】実施例１による通風用天窓を備えた建物の断面図である。
【図２】天窓の断面図である。
【図３】ガラリ雨戸の断面図である。
【図４】実施例１による一戸建て住宅の内部構造を示しており、（ａ）は１階の平面図、（ｂ）は２階の平面図である。
【図５】従来技術における天窓の断面図である。
【図６】実施例２による通風用天窓を備えた建物の概念図である。
【図７】実施例２による一戸建て住宅の内部構造を示しており、（ａ）は１階の平面図、（ｂ）は２階の平面図である。
【符号の説明】
【００７６】
１  建物
２  平屋根
３  天窓
４，５  ガラリ雨戸
９  支持枠
１２  外側枠
１３  窓本体
１４  クロスアーム機構
２０  階段ホール
４０  建物
４２，４５  大型窓（引き違い窓）
４６，４７，６７，６８  庇（又はスクリーン）
４３，５１  小型窓（地窓又はハイサイド窓）
５０，７９，８０，８１  ランマドア
５３，８４  天窓
６６，７５，７６，７７  引き違い窓
６９，７０  地窓又はハイサイド窓
７４  階段ホール
７８  通風シャッタ
８２，８３  地窓
【図１】
2005146838.tif 000003
【図２】
2005146838.tif 000004
【図３】
2005146838.tif 000005
【図４】
2005146838.tif 000006
【図５】
2005146838.tif 000007
【図６】
2005146838.tif 000008
【図７】
2005146838.tif 000009